(57)【要約】【課題】簡単な構成で、被照明部に影ができることを効果的に抑制できるとともに、ミラー部の曇り止めができる照明器具を提供する。【解決手段】器具本体２と、単一の蛍光ランプ１１と、本体カバー２１と、点灯装置８とを具備する。器具本体２は前方に開放する環状の周壁４を有する。蛍光ランプ１１は四角環状のバルブ１２を有した環形である。蛍光ランプ１１を器具本体２内に配置する。本体カバー２１を器具本体２の前面に開閉可能に取付ける。本体カバー２１は閉じ状態で器具本体２を気密状態に閉じる。本体カバー２１は、閉じ状態で蛍光ランプ１１に対向する環状の光透過部２４ａ、及びこの光透過部２４ａで囲まれたミラー部２４ｂを有している。点灯装置８を、蛍光ランプ１１の内側でかつミラー部２４ｂと対向して器具本体２に取付けたことを特徴としている。【選択図】      図５
2007220524.tif 000002
【特許請求の範囲】
【請求項１】
前方に開放する環状の周壁を有した器具本体と；
環状のバルブを有して前記器具本体内に配置された単一の環形蛍光ランプと；
この蛍光ランプと対向する環状の光透過部及びこの光透過部で囲まれたミラー部を有して、前記器具本体の前面に開閉可能に取付けられ、閉じ状態で前記器具本体を気密状態に閉じる本体カバーと；
前記蛍光ランプの内側でかつ前記ミラー部と対向して前記器具本体に取付けられた点灯装置と；
を具備することを特徴とする照明器具。
【請求項２】
請求項１記載の照明器具において、前記本体カバーの裏面に向けて突出する環状の枠状壁を前記器具本体の内面に取付け、この枠状壁の外側に前記蛍光ランプを配設し、前記枠状壁の内側でかつ前記器具本体の下部位置に前記点灯装置を横長に配置したことを特徴とする照明器具。
【請求項３】
請求項１又は請求項２記載の照明器具が立てて設置されるものであるとともに、前記蛍光ランプが、そのバルブの一端部に設けた第１の電極のマウント高さよりも前記バルブの他端部に設けた第２の電極のマウント高さを大きくして、この第２の電極のマウント高さに相当するバルブの他端部で、管壁温度が最も低くなる最冷部を形成したものであって、前記最冷部を前記器具本体の下部に配置したことを特徴とする照明器具。
【発明の詳細な説明】
【技術分野】
【０００１】
本発明は、ミラー部を有して例えば浴室や化粧室等に設置して使用される照明器具に関する。
【背景技術】
【０００２】
従来、洗面台用の照明器具として、化粧鏡の両側部に上下方向に延びる直管型蛍光ランプを夫々配設し、化粧鏡の上部コーナー部に白熱灯、及びこの白熱灯からの上向きの照射光を下方側への間接照明光として反射させる反射板を夫々設け、各白熱灯の照射方向を調節自在とした照明器具が知られている（例えば、特許文献１参照。）。
【０００３】
この照明器具の点灯下で使用者が化粧等をする場合には、両側の蛍光ランプからの直接光に、白熱灯の照射方向の調節による直接光を加味して、使用者の顔の細かい部分の化粧に適するように照明できる他、白熱灯の照射方向を上向きに調節することで、反射板で反射される間接光を加味して、化粧鏡の周囲を柔らかい光の空間に演出して照明することができる。
【特許文献１】特開平８−１８５７０９号公報（段落0005−0011、図１−図４）
【発明の開示】
【発明が解決しようとする課題】
【０００４】
特許文献１の照明器具では、化粧鏡の左右両側及び上側からの採光を得ているが、化粧鏡の下側からの採光を得ることができず、化粧鏡の全周から使用者を照明する効果が乏しい。このため、場所ごとに光の強さ等がばらついてしまい照明される使用者の顔等に影ができ易い。
【０００５】
しかも、特許文献１の照明器具は、多数の光源を必要としているので、ランプ交換の機会が増える。それだけではなく、異種光源ごとの光量や光色の差に加えて、多数の光源ごとの発光効率の低下のばらつきにより、光源ごとの光の差が大きくなりやすいので、こうしたばらつきに基づいて、照明される使用者の顔等に影ができ易い。
【０００６】
又、湿気が多い設置環境で化粧鏡を使用する場合、その化粧鏡が湿気の影響で曇って、視認性が低下することがある。しかし、特許文献１の照明器具では、化粧鏡の曇りを防止するための対策については一切言及されていない。
【０００７】
本発明の目的は、簡単な構成で、被照明部に影ができることを効果的に抑制できるとともに、ミラー部の曇り止めができる照明器具を提供することにある。
【課題を解決するための手段】
【０００８】
請求項１の発明は、前方に開放する環状の周壁を有した器具本体と；環状のバルブを有して前記器具本体内に配置された単一の環形蛍光ランプと；この蛍光ランプと対向する四角環状の光透過部及びこの光透過部で囲まれたミラー部を有して、前記器具本体の前面に開閉可能に取付けられ、閉じ状態で前記器具本体を気密状態に閉じる本体カバーと；前記蛍光ランプの内側でかつ前記ミラー部と対向して前記器具本体に取付けられた点灯装置と；を具備することを特徴としている。
【０００９】
本発明で、環形蛍光ランプには、四角環形又は丸形の蛍光ランプを使用できる。そして、環形蛍光ランプは、器具本体の周壁と同様形状で、それにより周壁に沿うように配設されるものが好ましいが、周壁の環形形状とは異なる形状、例えば、周壁が四角形である場合に丸形の蛍光ランプを用いることも可能である。又、本体カバーが器具本体に開閉可能に取付けられるとは、本体カバーが着脱されるものであってもよく、或いは、ヒンジを介して器具本体に回動可能に連結されて、その回動により器具本体を開閉するものであってもよい。本発明で、本体カバーのミラー部を囲む環状の光透過部は、例えば乳白色を呈して光を拡散するものを好適に使用できるが、これには制約されないとともに、この光透過部は環形に連続して形成されていることが好ましいが、局部的に光を通さない光不透過部位を含んでいても差し支えない。本発明で、点灯装置には例えばインバータ式の点灯装置を好適に使用できる。
【００１０】
請求項１の発明の照明器具が点灯されると、その蛍光ランプから前方に向かった光は、本体カバーの光透過部を透過し、十分な光量の直接光として本体カバーの正面に向き合った使用者などに届く。この場合、本体カバーのミラー部を囲んだ光透過部が環状であるので、ミラー部に正対している使用者の顔等の被照明部を、影ができないように上下左右方向から照明できる。
【００１１】
更に、本発明で使用する蛍光ランプは単一であるので、蛍光ランプの発光効率が低下しても、各部において均一な強さの光が放射される。このため、光の強度が場所によってばらつくことを原因として使用者の顔等の被照明部に影ができることを抑制できる。しかも、光源であるランプの数が最小であるので、器具構成が簡単であるとともに、ランプ交換の機会も減らすことができる。
【００１２】
又、本体カバーが器具本体を気密的に閉じているので、本体カバーの裏面に対向して器具本体内に配設されている環形蛍光ランプとこれを点灯させる点灯装置からその使用時に放出された熱を、本体カバーと器具本体との間の密閉空間にこもらせることができる。それにより、本体カバーをその裏面から加熱して、この本体カバーのミラー部等が曇ることを防止できるとともに、この曇り止めのために本体カバーの裏面に電熱線を配線することも要しないので、器具構成が簡単である。
【００１３】
請求項２の発明は、前記本体カバーの裏面に向けて突出する環状の枠状壁を前記器具本体の内面に取付け、この枠状壁の外側に前記蛍光ランプを配設し、前記枠状壁の内側でかつ前記器具本体の下部位置に前記点灯装置を横長に配置したことを特徴としている。
【００１４】
この請求項２の発明では、横長の点灯装置から放出される熱がミラー部の裏面と対向する領域に溜まり易くなることに加えて、点灯装置から放出される熱がミラー部の下部から上部に向けて対流するのに伴い、ミラー部に対する曇り止め効果をより高くできる。
【００１５】
請求項３の発明は、照明器具が立てて設置されるものであるとともに、前記蛍光ランプが、そのバルブの一端部に設けた第１の電極のマウント高さよりも前記バルブの他端部に設けた第２の電極のマウント高さを大きくして、この第２の電極のマウント高さに相当するバルブの他端部で、管壁温度が最も低くなる最冷部を形成したものであって、前記最冷部を前記器具本体の下部に配置したことを特徴としている。
【００１６】
立てて設置された照明器具内の温度は上部より下部の方が低い。このように温度が低い照明器具の下部に環形蛍光ランプの最冷部を配置した請求項３の発明では、最冷部の温度を低く維持し易い。これにより、環形の蛍光ランプのバルブ内の水銀蒸気圧をバルブの最冷部の温度によって略最適値に規制して、高い発光効率を得る最冷部制御を行う上で好ましい。
【発明の効果】
【００１７】
請求項１の発明によれば、簡単な構成でありながら、被照明部に影ができることを効果的に抑制できるとともに、ミラー部の曇り止めができる照明器具を提供できる。
【００１８】
請求項２の発明によれば、ミラー部に対する曇り止め効果が高い照明器具を提供できる。
【００１９】
請求項３の発明によれば、環形環状の蛍光ランプのバルブ内の水銀蒸気圧をバルブの最冷部の温度によって略最適値に規制して、高い発光効率を得る最冷部制御を行う上で好ましい照明器具を提供できる。
【発明を実施するための最良の形態】
【００２０】
図１〜図７を参照して本発明の一実施形態に係る化粧台用照明器具について説明する。
【００２１】
図中符号１は照明器具を示す。この照明器具１は、図示しない化粧台にこの台を使用する使用者の正面に対向する位置（正対位置）に垂直状態に立てて設置される。照明器具１は、化粧台に一体に組み込まれていても、或いは化粧台とは分離したもので垂直状態の室内壁面（器具設置面Ｓ）に設置されていてもよい。
【００２２】
照明器具１は、器具本体２と、単一光源をなす環形の蛍光ランプ１１と、本体カバー２１と、反射板７と、点灯装置８とを備えている。
【００２３】
器具本体２は、板金製であり、図４〜図７に示すように四角形をなすベース板３の上下左右の縁から投光部を有さない側板４ａ〜４ｄを前方に向けて折れ曲げて形成されている。側板４ａ〜４ｄは互いに連続して四角環形の周壁４を形成している。この周壁４は前方に開放している。上下方向に延びた互いに平行な側板４ｃ、４ｄの内の一方、例えば側板４ｄの上下方向の中央部には、保持部例えばマグネット６（図５参照）が取付けられている。
【００２４】
器具本体２の内面に反射板７が固定されている。反射板７は、周壁４の形状に対応した形状、例えば四角環形をなし、ベース板３に固定された反射壁７ａと、この反射壁７ａの外周縁から折れ曲がった外周枠状壁７ｂと、反射壁７ａの内周縁から折れ曲がった内周枠状壁７ｃとで形成されている。外周枠状壁７ｂは本体カバー２１の後述するカバー枠２２の裏面に向けて斜めに折れ曲がっている。内周枠状壁７ｃは、本体カバー２１の後述するカバー部２４の裏面に向けて接近するように直角状に折れ曲がっていて、外周枠状壁７ｂよりも前方に突出されている。
【００２５】
器具本体２のベース板３の内面には蛍光ランプ１１の点灯を担う点灯装置、好ましくはインバータ式の電子安定器からなる点灯装置８が内蔵されている。この点灯装置８は、横長に形成されていて、反射板７で囲まれた領域、よく詳しくは、内周枠状壁７ｃの内側に位置して器具本体２の下部に固定され、好ましくは下側の側板４ｂにより接近して器具本体２の下部内面に固定されている。
【００２６】
蛍光ランプ１１は器具本体２の外形形状に対応して例えば四角環状をなしている。図４及び図５に示すように蛍光ランプ１１は、四角環状に曲げられたバルブ１２の互いに接近した両端部にわたって合成樹脂製の口金１３を装着してなる。
【００２７】
この蛍光ランプ１１においては、バルブ１２の一端部１２ａに設けた第１の電極のマウント高さＸ（図４参照）よりもバルブ１２の他端部１２ｂに設けた第２の電極のマウント高さＹ（図４参照）が大きい。これにより、第２の電極のマウント高さに相当するバルブ１２の他端部１２ｂで、管壁温度が最も低くなる最冷部が形成されている。蛍光ランプ１１は、その最冷部での温度によってバルブ１２内の水銀蒸気圧を略最適値に規制して、高い発光効率を得るように構成されている。
【００２８】
蛍光ランプ１１は、その口金１３及び前記最冷部を器具本体２の下部に配置して反射板７の外周枠状壁７ｂと内周枠状壁７ｃとの間に取付けられている。つまり、蛍光ランプ１１は内周枠状壁７ｃの外側に配置されていて、反射板７の各反射面をなす反射壁７ａ、外周枠状壁７ｂ、及び内周枠状壁７ｃの全てに対向している。この蛍光ランプ１１の配置によって、その口金１３及び前記最冷部は、点灯装置８と器具本体２の下側の側板４ｂとの間に位置されている。なお、図４において器具本体２の下部の二つの角部の内のいずれかの角部及びその付近に口金１３及び前記最冷部を配置する形態も、器具本体２の下部に口金１３及び前記最冷部を配置する概念に包含される。
【００２９】
図１〜図３等に示すように本体カバー２１は、カバー枠２２と、ホルダ２３と、カバー部２４とを備えている。
【００３０】
カバー枠２２は、器具本体２の形状に対応し、例えば四角環状をなしている。このカバー枠２２は器具本体２より大きい。カバー枠２２は、合成樹脂、金属、木材、又は木質系の材料により作られる。
【００３１】
カバー枠２２の一側部は、ヒンジ２５（図３参照）を介して器具本体２の側板４ｄと平行な側板４ｃに回転可能に取付けられている。それにより、本体カバー２１が器具本体２の前面に開閉可能に取付けられている。カバー枠２２の前記一側部と平行な他側部の裏面には、被保持部例えば鉄板２６（図５参照）が取付けられている。カバー枠２２の裏面には弾性変形が可能なゴム等の軟質材料からなるシール部材２７（図５〜図７参照）が環状に取付けられている。
【００３２】
本体カバー２１が器具本体２を閉じる位置に配置された時に、前記マグネット６が鉄板２６を吸付けて、本体カバー２１は閉じ状態に保持される。この閉じ状態では、シール部材２７に器具本体２の周壁４の前端面が密接されて器具本体２が気密的に保持される。なお、シール部材２７は、周壁４の前端面に取付けて、本体カバー２１を閉じた状態で、この本体カバー２１のカバー枠２２裏面に密接するようにしてもよい。
【００３３】
本体カバー２１が閉じられた状態で、そのカバー枠２２は周壁４の外側に張り出すようになり、その裏面が周壁４の前端に当たるように配置される（図３及び図４参照）。そして、前記吸付け力に勝る開き力を本体カバー２１に手で与えることにより、本体カバー２１を開くことができ、それによりランプ交換が可能となっている。
【００３４】
ホルダ２３はカバー枠２２の内周に沿って取付けられている。このホルダ２３はカバー枠２２から前方へ突出する部位を有している。ホルダ２３は透光部材、例えば乳白色のアクリル板で形成されている。なお、これに代えて、多数の小孔を開けた投光部材を用いてホルダ２３を形成することもできる。
【００３５】
カバー部２４はその裏面をホルダ２３の前端部に取付けて設けられている。カバー部２４は、カバー枠２２より小さい四角形をなしている。このカバー部２４は、光透過部２４ａと、ミラー部２４ｂと、外周ミラー部２４ｃとを有している。これら光透過部２４ａ、ミラー部２４ｂ、及び外周ミラー部２４ｃの前面は面一に連なっている。
【００３６】
光透過部２４ａは蛍光ランプ１１の環形形状に応じて四角環状に形成されている。この光透過部２４ａは、本体カバー２１が閉じられた状態で蛍光ランプ１１からの直接前方へ出る光及び反射板７からの反射光が射し込むように、蛍光ランプ１１及び反射板７に対向する位置に設けられている。光透過部２４ａは光を拡散して前方向に透過させるように形成されている。
【００３７】
ミラー部２４ｂは、光透過部２４ａで囲まれ四角形状をなしていて、裏面に蒸着等により設けられた反射層２４ｂ１（図６及び図７参照）を有している。ミラー部２４ｂは、鏡として使用するのに必要十分な面積を占めており、その面積は光透過部２４ａの面積より大きい。図６及び図７に示すように反射層２４ｂ１は、その略全体が、本体カバー２１が閉じられた状態で前記内周枠状壁７ｃで囲まれた領域に対向する大きさに設けられている。
【００３８】
外周ミラー部２４ｃは光透過部２４ａを囲んで設けられ、カバー部２４の周縁部をなしていて、裏面に蒸着等により設けられた反射層２４ｃ１（図６及び図７参照）を有している。反射層２４ｂ１及び反射層２４ｃ１によってミラー部２４ｂが鏡として機能するようになっている。外周ミラー部２４ｃの裏面に光透過性のホルダ２３が接続されていて、それにより、ホルダ２３の視認が防止されている。
【００３９】
照明器具１が点灯されると、この照明器具１の前方に位置した使用者を直接光により以下のように照射できる。
【００４０】
使用者から見ての直接光（図６及び図７中実線矢印で示す。）は、蛍光ランプ１１から直接前方に向かう光、及び反射板７で反射されて前方へ向かう光である。この直接光は、器具本体２を覆った本体カバー２１が有したカバー部２４の光透過部２４ａを通って上下左右から使用者の顔などを照射する。このように直接光での照明では、照射光量の損失が少ないので、十分な明るさ照明できる。その上、四角環状の光透過部２４ａでの光拡散制御により、この光透過部２４ａ全体が明るく光って、使用者の顔などを上下左右から照明する。そのため、特定の方面からの照明光が欠如することがなく、使用者の顔等に影が形成されることを抑制できる。なお、以上の照明では、蛍光ランプ１１側からの光がミラー部２４ｂの裏面に射し込むことを反射板７の内周枠状壁７ｃによって抑制できる。
【００４１】
更に、蛍光ランプ１１及び反射板７によって、これらの外側で斜め前方へ照射された光は、カバー部２４を透過した後に反射層２４ｃ１によって斜め後方に反射されるので、この反射光でカバー枠２２の前面を照射できる。この光は、カバー枠２２の前面で更に反射されるので、使用者にとって間接光として認識される。この間接光により、全周を照らされたカバー枠２２が視認され易くなり、カバー枠２２を有した照明器具１のインテリア性を向上させることができる。そして、この間接光は、カバー部２４と器具設置面Ｓとの明るさのコントラストを抑制するのにも貢献できる。
【００４２】
前記照明器具１は、光源として使用する蛍光ランプ１１が環形である。そのため、ランプの使用数が最小となり、それに伴い照明器具１の構成を簡単にできるとともに、ランプ交換の機会を減らすことができる。そして、光源を単一の環形蛍光ランプ１１としたことにより、その発光効率が低下しても、各部において均一な強さの光が放射される。このため、前記直接光の強度が場所によってばらつくことがなく、カバー枠２２を照射する間接光の強度も場所によってばらつくことがない。したがって、蛍光ランプ１１の発光効率の低下に伴い光の強さが各部でばらついて使用者の顔等に影ができるという事態も招き難い点で好ましい。
【００４３】
更に、照明器具１は器具設置面Ｓに沿って立てて設置されているので、この器具本体２の下部の方が上部より温度が低い。こうした条件下で、最冷部制御をする機能を持った蛍光ランプ１１の口金１３及び最冷部を器具本体２の下部に配置したので、最冷部をなすバルブ１２の他端部１２ｂの温度が上がることが抑制され、この最冷部の温度を低く維持し易い。これにより、蛍光ランプ１１のバルブ１２内の水銀蒸気圧をバルブ１２の最冷部の温度によって略最適値に規制する最冷部制御ができるので、高い発光効率を発揮させることができる。
【００４４】
又、本体カバー２１が器具本体２を気密的に閉じている前記照明器具１では、本体カバー２１の裏面に対向して器具本体２内に配設されている四角環状の蛍光ランプ１１とこれを点灯させる点灯装置８からその使用時に放出される熱を、本体カバー２１と器具本体２との間の密閉空間にこもらせることができる。それにより、本体カバー２１をその裏面から加熱して、この本体カバー２１のミラー部２４ｂ等が曇ることを防止できる。
【００４５】
この場合、本体カバー２１の裏面に向けて突出する内周枠状壁７ｃによって、横長の点灯装置８から放出される熱をミラー部２４ｂの裏面と対向する領域に溜まり易くできる。加えて、横長の点灯装置８を内周枠状壁７ｃの内側でかつ器具本体２の下部位置に前記に配置したので、点灯装置８から放出される熱をミラー部２４ｂの下部から上部に向けて対流させることができる。したがって、ミラー部２４ｂに対する曇り止め効果をより高くできる。
【００４６】
以上のように点灯装置８及び蛍光ランプ１１の発熱を利用してミラー部２４ｂ等を曇り止めしたので、曇り止めのために本体カバー２１の裏面に電熱線を配線することも要しない。この点でも、照明器具１の構成を簡単にできる点で好ましい。
【図面の簡単な説明】
【００４７】
【図１】本発明の一実施形態に係る化粧台用照明器具を示す正面図。
【図２】図１の照明器具を示す平面図。
【図３】図１の照明器具を示す側面図。
【図４】図１の照明器具をその本体カバーを外した状態で示す正面図。
【図５】図１の照明器具をその本体カバーを開いた状態で示す斜視図。
【図６】図１中矢印Ｆ６−Ｆ６線に沿う照明器具の断面図。
【図７】図１中矢印Ｆ７−Ｆ７線に沿う照明器具の断面図。
【符号の説明】
【００４８】
１…照明器具、２…器具本体、４…周壁、７…反射板、７ａ…反射壁部、７ｃ…内周枠状壁、１１…蛍光ランプ、１２…バルブ、１２ｂ…バルブの端部（最冷部）、１３…口金、２１…本体カバー、２２…カバー枠、２３…ホルダ、２４…カバー部、２４ａ…光透過部、２４ｂ…ミラー部、２５…ヒンジ、２７…シール部材、Ｓ…器具設置面、Ａ…バルブの一端側でのマウント高さ、Ｂ…バルブの他端側でのマウント高さ
【図１】
2007220524.tif 000003
【図２】
2007220524.tif 000004
【図３】
2007220524.tif 000005
【図４】
2007220524.tif 000006
【図５】
2007220524.tif 000007
【図６】
2007220524.tif 000008
【図７】
2007220524.tif 000009